(57)【要約】【課題】複数のＩＣカードの装着構造を省スペースで実現することができる折畳式携帯電子装置を提供する。【解決手段】表示部１１を有する第１筐体１と操作部２１を有する第２筐体２とがヒンジ部３を介して開閉可能に結合され、第２筐体２に電池室２５を設けた折畳式携帯電子装置であって、第２筐体２の外面２ＢにＳＤカード（第１のＩＣカード）５の挿入口４１と第２筐体２内部の電池室２５に臨んでＳＩＭカード（第２のＩＣカード）７の挿入口４４とをそれぞれ有するとともに、ＳＤカード５用のコネクタ４３ＡとＳＩＭカード７用のコネクタとをそれぞれ有し、これらのカード５、７を装着して電気的に接続するためのカード室４を備えた。【選択図】  図１
2004222170.tif 000002
【特許請求の範囲】
【請求項１】
表示部を有する第１筐体と前記第１筐体に対向する内面側に操作部を有する第２筐体とがヒンジ部を介して開閉可能に結合され、前記操作部のある内面とは反対の外面寄りの前記第２筐体に電池室を設けた折畳式携帯電子装置であって、
前記第２筐体の外面に第１のＩＣカードの挿入口と前記第２筐体内部の前記電池室に臨んで第２のＩＣカードの挿入口とをそれぞれ有するとともに、前記第１のＩＣカード用のコネクタと前記第２のＩＣカード用のコネクタとをそれぞれ有し、前記第１のＩＣカード及び前記第２のＩＣカードを装着して電気的に接続するためのカード室を備えていることを特徴とする折畳式携帯電子装置。
【請求項２】
前記第１のＩＣカードの挿入口は、前記第２筐体の前記外面から前記ヒンジ部に臨む端面に亙って形成してあることを特徴とする請求項１記載の折畳式携帯電子装置。
【請求項３】
前記第２のＩＣカードを装着するためのカードトレイを、前記電池室側の前記挿入口から前記カード室内部に向けてスライド可能な状態で取付けてあることを特徴とする請求項１又は２に記載の折畳式携帯電子装置。
【請求項４】
前記第２筐体内部の前記電池室に臨む前記カード室には、前記カードトレイをスライド自在に保持する受け部をスライド自在に備えていることを特徴とする請求項３記載の折畳式携帯電子装置。
【請求項５】
前記第１のＩＣカード用のコネクタを実装したフレキシブル基板を、第２筐体の外面寄りの前記カード室に配設していることを特徴とする請求項１乃至４のいずれか１項に記載の折畳式携帯電子装置。
【発明の詳細な説明】
【０００１】
【発明の属する技術分野】
本発明は、折畳式携帯電子装置に係り、特にＳＤカードやＳＩＭカード等のようなメモリーを内蔵したＩＣカードが搭載可能な折畳式携帯電子装置に関する。
【０００２】
【従来の技術】
近年、各種の情報を記録するための情報記録媒体として、ＩＣカードなどが開発され各種の分野で使用されている。この情報記録媒体の一つであるＩＣカードには、例えば、ＳＤ（Ｓｅｃｕｒｅ  Ｄｉｇｉｔａｌ；メモリーカードの規格の一つ）カード、メモリースティック、マルチメディアカード、ＳＩＭ（Ｓｕｂｓｃｒｉｂｅｒ  Ｉｄｅｎｔｉｔｙ  Ｍｏｄｕｌｅ；加入者情報を含んだカード）カード等が知られている。
【０００３】
一方、これらのＩＣカードを搭載している電子機器としては、ＰＤＡ（Ｐｅｒｓｏｎａｌ  Ｄｉｇｉｔａｌ  Ａｓｓｉｓｔａｎｔ；携帯情報端末）、デジタルスチルカメラ、デジタルビデオカメラ、パソコン等が知られているが、このほか携帯電話機についても、このＩＣカードを搭載したものが開発されている。
【０００４】
また、この携帯電話機については、現在、小型・薄型化が主流となってきているが、この携帯電話機において静止画や動画、音楽等の様々な大量の情報を記憶させる手段として、情報記録媒体への期待が高まっている。このような事情から、今後、このＩＣカードの小型化や高容量化が一層進展するものと予測されている。
【０００５】
ところで、この携帯電話機に対してこれらＩＣカードを複数種類搭載することができる構成のものが提案されており、このような携帯電話機として、例えば特許公報１や特許公報２に記載されたものが知られている。
即ち、これらの公報に記載の携帯電話機では、いずれも、２つのＩＣカード用コネクタを一体に形成したカード装着用のスペース（スロット）を有する構成であって、例えば下段にＳＤカード等のメモリーカード用コネクタを配置するとともに上段にはＳＩＭカードを配置している。また、これら２つのＩＣカードは、各々カードの挿抜方向が互いに直交する位置関係となっている。
【０００６】
【特許公報１】
特開２００１−２５１４０２号公報（第３頁左欄中段〜下段、図１）
【特許公報２】
特開２００１−３０７８０１号公報（第３頁左欄上段〜中段、図１）
【０００７】
【発明が解決しようとする課題】
しかしながら、２つのＩＣカード用コネクタを一体で形成した従来の携帯電話機では、２つのＩＣカードの方向性が決まっているため、設計自由度が狭められているとともに構造的な制約が増えてしまい、小型化の要求が強い携帯電話機にあってカード装着部分の空間の効率的な配置が難しくなっており、携帯電話機内部スペースの有効活用が阻害されている。その結果、携帯電話機としての商品性や汎用性、さらには小型化の際の障害となっている。
【０００８】
また、これらのＩＣカードを上下２段に装着する場合、例えば、下段に配置したＩＣカード用コネクタに対して、上段に配置したＳＩＭカード用コネクタのほうが平面サイズが小さいため、上段にはＳＩＭカード用コネクタ以外の部分に余分なスペースが発生しており、スペース的に不経済となっている。
【０００９】
そこで、この発明は、上記した事情に鑑み、複数のＩＣカードの装着構造を省スペースで実現することができる折畳式携帯電子装置を提供することを目的とするものである。
【００１０】
【課題を解決するための手段】
上記の問題点を解決するために、本発明の折畳式携帯電子装置は、表示部を有する第１筐体と前記第１筐体に対向する内面側に操作部を有する第２筐体とがヒンジ部を介して開閉可能に結合され、前記操作部のある内面とは反対の外面寄りの前記第２筐体に電池室を設けた折畳式携帯電子装置であって、
前記第２筐体の外面に第１のＩＣカードの挿入口と前記第２筐体内部の前記電池室に臨んで第２のＩＣカードの挿入口とをそれぞれ有するとともに、前記第１のＩＣカード用のコネクタと前記第２のＩＣカード用のコネクタとをそれぞれ有し、前記第１のＩＣカード及び前記第２のＩＣカードを装着して電気的に接続するためのカード室を備えていることを特徴としている。
【００１１】
これにより、複数のＩＣカードの装着構造を省スペースで実現することができる。
【００１２】
また、本発明の折畳式携帯電子装置は、前記第１のＩＣカードの挿入口が、前記第２筐体の前記外面から前記ヒンジ部に臨む端面に亙って形成してあることを特徴としている。
【００１３】
これにより、第１のＩＣカードの挿入口は、折畳式携帯電子装置を使用中の使用者から見えない後方に位置するので、誤って挿入口を開いて中にあるＩＣカードを外へ落とすといったことを防止することができる。
【００１４】
また、本発明の折畳式携帯電子装置は、前記第２のＩＣカードを装着するためのカードトレイを、前記電池室側の前記挿入口から前記カード室内部に向けてスライド可能な状態で取付けてあることを特徴としている。
【００１５】
これにより、第２のＩＣカードの挿入動作が容易に行えるようになり、使い勝手が向上する。
【００１６】
また、本発明の折畳式携帯電子装置は、前記第２筐体内部の前記電池室に臨む前記カード室に、前記カードトレイをスライド自在に保持する受け部をスライド自在に備えていることを特徴としている。
【００１７】
これにより、第２のＩＣカードの挿入動作がさらに容易に行えるようになり、使い勝手が一層向上する。
【００１８】
また、本発明の折畳式携帯電子装置は、前記第１のＩＣカード用のコネクタを実装したフレキシブル基板を、第２筐体の外面寄りの前記カード室に配設していることを特徴としている。
【００１９】
これにより、操作部での操作力がこのフレキシブル基板に及んでクリック感が得られないなどといった不都合を回避できるとともに、外面側からフレキシブル基板への応力に対し湾曲して吸収することが可能であるので、外力に対して非常に有利な構造が提供できる。
【００２０】
【発明の実施の形態】
以下、この発明に係る実施の形態について、添付図面を参照しながら詳細に説明する。
［第１の実施形態］
以下、本発明の実施の形態について、図１〜図５を用いて説明する。
図１は本発明の実施形態に係る折畳式携帯電話機の折畳んだ状態を示す縦断面図であり、この折畳式携帯電話機は、本体部分が、上部に配置される第１筐体１と下部に配置される第２筐体２とに分割されているとともに、これらの筐体１，２がヒンジ部３で開閉自在に連結されている。
【００２１】
第１筐体１には、表示部としてメイン表示部１１と、サブ表示部１２とを備えており、メイン表示部１１は、折畳式携帯電話機を開いたときに表示部として機能し、サブ表示部１２は折畳式携帯電話機を閉じたときに表示部として機能するようになっている。
【００２２】
サブ表示部１２には、折畳式携帯電話機を閉じた状態でも電池残量や電波状態および時計の表示、また着信時に相手の電話番号や名前の表示ができるなどの機能があり、折畳式携帯電話機を閉じた状態でも、利便性の高い折畳式携帯電話機が実現できるように構成されている。
【００２３】
なお各表示部の保護手段として、第２筐体２と対向する内面（内ケース）１Ａ側のメイン表示部１１にはメインカバー１１Ａが、内面１Ａ側とは反対の外面（外ケース）１Ｂ側のサブ表示部１２にはサブカバー１２Ａがそれぞれ具備されている。
【００２４】
一方、下部に配置された第２筐体２には、第１筐体１と対向する内面（内ケース）２Ａ側にキー操作部として配設したキーシート２１を備えているほか、この第２筐体２の内部には、キー基板２２と回路基板（フレキシブル基板）２３などとを設けている。
【００２５】
この回路基板２３は、キー基板２２の配設位置に比べて第２筐体２の内面２Ａからより離間した奥部、つまり第２筐体２の内面２Ａとは反対の外面（外ケース）２Ｂ寄りに配設されており、図示外の制御回路部と無線回路部などとが形成されているとともに、この回路基板２３とキー基板２２との間にスペーサ２４が配置されている。
【００２６】
このスペーサ２４は、高剛性の適宜材料を用いて形成されており、キーシート２１を操作した際に、その応力をスペーサ２４で受け止めることにより、回路基板２３に直接応力が加わらないため、強い力でキーが押されても、回路基板２３に実装された部品に対する損傷を防止できるとともに、キー操作の際の操作力が回路基板２３にまで及ぶことにより、クリック感が損なわれるといったことを防止できるようにもなっている。
【００２７】
また、この第２筐体２には、外面２Ｂ及びヒンジ部３に臨む端面寄りの部位に（若しくはヒンジ部３を臨む端面に及んだ外面２Ｂに）挿入口４１が開口されているとともに、この挿入口４１を臨んだ第２筐体２の内部にカード室４を備えており、このカード室４には、ＳＤカード（第１のＩＣカード）５及びＳＩＭカード（第２のＩＣカード）７が挿脱可能に収納されているとともに、挿入口４１には、ＳＤカバー４２が開閉可能に配設されている。なお、この第２筐体２の外面２Ｂには、このカード室４のほかに、電池パック８を収納するための電池室２５がカード室４に隣接して設置されている。
【００２８】
次に、このカード室４及びここに収納するＳＤカード５について、図１及び図２を参照しながら説明する。
このカード室４には、図２に示すように、略ロ字型に組まれたフレームで構成されるホルダ体４０において、フレキシブル基板４３が一面側に取付けられているとともに、先述した回路基板２３が反対面側に取付けられている。
【００２９】
即ち、このホルダ体４０には、係止用爪４Ａを設けており、この係止用爪４Ａによってフレキシブル基板４３がホルダ体４０と一体に係止されている。また同様に、このホルダ体４０には、係止用爪４Ｂを設けており、この係止用爪４Ｂにより回路基板２３を一体に係止させるように構成されている。
【００３０】
このフレキシブル基板４３には、ＳＤカード５を接続・装着するためのＳＤカード用コネクタ４３Ｂが実装されている。また、このフレキシブル基板４３には、図２に示すように、この一部から引出された可撓性を有する引出部４３Ｂを設けており、この引出部４３Ｂには、ＳＤカード用コネクタ４３Ｂとは別に、接合用コネクタ４３Ｃが実装されているとともに、回路基板２３側の接合用コネクタ２３Ａと接合されており、電気的な接続が図られている。
【００３１】
なお、本実施の形態のＳＤカード５での挿脱操作方法としては、Ｐｕｓｈ−Ｐｕｓｈ方式を用いており、このため、ＳＤカバー４２を開いた状態で、ＳＤカード５を少し押し込むことで、カードのロック動作が解除され、手前（図１においてＡ方向）に飛び出して取出すことができるようになっている。
【００３２】
ＳＤカード用コネクタ４３Ｂは、通常、薄型化のため、非常に薄い樹脂や板金で形成されており、フレキシブル基板４３を介して外面２Ｂ寄りに偏移した状態で設置する構成となっている。このように、ＳＤカード用コネクタ４３Ｂは、キー操作部として配設したキーシート２１側からできるだけ離して配置すると共に、ＳＤカード用コネクタ４３Ｂでの強度的に脆弱な部分は、第２筐体２の外面２Ｂからできるだけ離れた位置に配置している。
【００３３】
また、ＳＤコネクタ４３Ａを有するカード室４は、第２筐体２の後述する電池室２５に隣接した外面２Ｂ寄りに形成してあるが、ＳＤカード５の挿入口４１を覆うＳＤカバー４２は、ヒンジ３寄りの一方側端面に亙って設置してあるため、通常の操作では、例えば折畳式携帯電話機の本体を開いた状態や閉じた状態では、ＳＤカバー４２は操作者などからは見えない位置にある。これにより、優れたデザイン性を実現することができる。しかも、通常、このカード室４のＳＤカバー４２は、折畳式携帯電話機の本体を手で持ったときに、手で触れない位置にあるため、通話中に誤ってＳＤカバー４２を開いてしまうことはない。
【００３４】
次に、電池室２５からカード室４に収納させるＳＩＭカード７（図１参照）について、図面を参照しながら説明する。
なお、図３（Ａ）は本発明の実施形態に係るＳＩＭトレイ６を引出した場合の構成を示す斜視図、図３（Ｂ）は本発明の実施形態に係るＳＩＭトレイ６を収納した場合の構成を示す斜視図、図４は本発明の実施形態における、ＳＩＭトレイ６を引出したときの状態を示す正面図、図５は本発明の実施形態に係るＳＩＭトレイ６を収納したときの状態を示す正面図である。
【００３５】
カード室４には、図１及び図２に示すように、ＳＤカード５を取出す挿入口４１とは反対側に、ＳＩＭカード７を挿脱させるための挿入口４４を設けており、この挿入口４４には、スライド式の受け部４５が形成されているとともに、この受け部４５には、ＳＩＭトレイ６がスライド可能に装着されている。
【００３６】
この受け部４５には、図２に示すように、出口側の内面において、左右両側に凹部４５Ａを設けており、この凹部４５Ａに後述するＳＩＭトレイ６の係止爪６２が係合するようになっている。
【００３７】
なお、ホルダ体４０には、挿入口４４に臨んで切欠部４６が設けられており、この切欠部４６からＳＩＭトレイ６の凸部６５をカード室４内部へ挿入させるようになっている。即ち、ＳＩＭトレイ６は、普段、この凸部６５が切欠部４６に突当ることに外部へ抜け出しを防止しており、かりに、ＳＩＭトレイ６がカード室４から外れて抜出した場合でも、再びこの切欠部４６を押下げながら凸部６５をくぐり通して奥部へ挿入させ、ＳＩＭトレイ６を挿入・装着できるような構造になっている。
【００３８】
ＳＩＭトレイ６には、カード室４や第２筐体２の外面２Ｂに対して摺動するため、ＰＯＭ（Ｐｏｌｙ  Ｏｘｙ  Ｍｅｔｈｙｌｅｎｅ；ポリオキシメチレン（ポリアセタール樹脂））などの摺動性の良い材料を使用して形成しており、図２に示すように、面取り部６１と、係止ツメ６２と、突起部６３と、切欠部６４と、凸部６５などとを備えている。
【００３９】
このうち、面取り部６１は、ＳＩＭカード７をＳＩＭトレイ６に正しい方向で収納させるためのものであり、ＳＩＭカード７をＳＩＭトレイ６の双方において、互いに面取り部分を位置合わせすることにより、その姿勢を確認して正しく収納させることができるようになっている。
【００４０】
係止爪６２は、図４に示すように、ＳＩＭトレイ６の本体の左右先端に設けた爪６２Ａと、左右基端に設けた爪６２Ｂとで構成されており、ＳＩＭトレイ６を引出したり押し込んだりする際に、爪６２Ａ，６２Ｂのいずれかの係止爪６２がカード室４の受け部４５に設けた凹部４５Ａに係止してスライド領域を一定ストロークに規制するようになっている。
【００４１】
なお、本実施の形態では、受け部４５の凹部４５Ａ及びＳＩＭトレイ６の突起部６３がそれぞれの左右両側に形成されているが、後述するＳＩＭトレイ６の突起部６３は、図２においてＳＩＭトレイ６の右側のみに形成しているので、受け部４５の凹部４５Ａ及び係止爪６２Ｂも右側のみに形成し、引き出し易いように構成してもよい。
【００４２】
突起部６３は、ＳＩＭトレイ６を引出す操作を行う際にその引出操作を容易に行うために基端部の一方側角部に設置されており、ＳＩＭトレイ６を指で手前に引出すときの引掛りを構成するものである。
【００４３】
切り欠部６４は、ＳＩＭカード７を上下から指で挟んで取出す際に取出しやすくするためのものであり、ＳＩＭトレイ６の一方側（図２において右側）の側部に形成されている。
【００４４】
凸部６５は、ＳＩＭトレイ６の一方側の先端部に突設されており、ＳＩＭトレイ６を強い力で引出した場合には、撓んでホルダ体４０から外れるようになっているため、ＳＩＭトレイ６が破損したり、破壊されることがないように構成されている。
【００４５】
ＳＩＭカード７は、図１、図２において、回路基板２３に実装されたＳＩＭ用コネクタ２３Ｂの端子と接続されて導通が図られている。なお、このＳＩＭ用コネクタ２３Ｂは、コストの低廉化を図るために、樹脂モールドと接続端子のみで形成されている。
【００４６】
従って、本実施形態のような構成によれば、折畳式携帯電話機としての使用時には、電池パック８を電池室２５に装着することで、落下等でＳＩＭトレイ６の係止部６２Ｂがカード室４の受け部４５に設けた凹部４５Ａを乗り上げようとしても、電池室２５に設けたリブ２５Ａが壁となり、ストッパーとして機能する。また、ＳＩＭトレイ６は第２筐体２内部の電池室２５に配設しており、電池パック８を外さないと使用できないため、例えば電池パック８を装着し電源が入った状態で誤ってＳＩＭカード７を引き抜いてしまい、ＳＩＭカード７のデータが破損する、というトラブルが防止できるようになる。
【００４７】
次に、ＳＩＭトレイ６を引出す操作について説明する。
ＳＩＭトレイ６に設けた突起部６３を指で手前（図１及び図３（Ａ）においてＢ方向）に引出すと、係止爪６２Ｂがホルダ４の受け部４５の凹部４５Ａを乗り越え、手前にスライドされて引出されてくる。
【００４８】
そして、ＳＩＭトレイ６に設けた係止用爪６２Ａが受け部４５側の凹部４５Ａ（図２参照）に係止され固定されるため、一定長さだけ引出されたところで、引出動作を停止させることができる。なお、この場合、万一ＳＩＭトレイ６を強い力で引出そうとしたときには、前述したように、ＳＩＭトレイ６の先端凸部６５が撓んでホルダ体４０から外れるようになっているため、ＳＩＭトレイ６が破損したり、破壊されることはない。
【００４９】
これにより、電池室２５において、ＳＩＭトレイ６の切欠部６４からＳＩＭカード５を指で摘み、外部へ取出すことができる。
【００５０】
なお、本実施の形態では折畳式携帯電話機に適用したが、本発明の折畳式携帯電子装置は、勿論これに限定されるものではなく、各種の折畳式携帯電子機器に適用可能である。
【００５１】
【発明の効果】
以上説明してきたように、本発明は、表示部を有する第１筐体と第１筐体に対向する内面側に操作部を有する第２筐体とがヒンジ部を介して開閉可能に結合され、操作部のある内面とは反対の外面寄りの第２筐体内部に電池室を設けた折畳式携帯電子装置であって、第２筐体の外面に第１のＩＣカードの挿入口と第２筐体内部の電池室に臨んで第２のＩＣカードの挿入口とをそれぞれ有するとともに、第１のＩＣカード用のコネクタと第２のＩＣカード用のコネクタとをそれぞれ有し、第１のＩＣカード及び第２のＩＣカードを装着して電気的に接続するためのカード室を備えていることで、第１のＩＣカードと第２のＩＣカードの装着構造を省スペースで実現させることができる。
【００５２】
また、本発明では、第１のＩＣカードの挿入口を第２筐体のヒンジ部付近に配置してあるため、通常、折畳式携帯電子装置の使用時にはあまり目立たなくでき、優れたデザイン性を実現させることができる。
【００５３】
また、本発明では、第１のコネクタを実装したフレキシブル基板を第２筐体の外面寄りに配置したことで、操作部での操作力がこのフレキシブル基板に及んでクリック感が得られないなどといった不都合を回避できるとともに、外面側からフレキシブル基板への応力に対し湾曲して吸収することが可能であるので、外力に対して非常に有利な構造が提供できる。
【図面の簡単な説明】
【図１】本発明の実施形態に係る折畳式携帯電話機の折畳んだ状態を示す縦断面図である。
【図２】本発明の実施形態に係る折畳式携帯電話機の要部を示す分解斜視図である。
【図３】本発明の実施形態に係る折畳式携帯電話機におけるカード室及びＳＩＭトレイを示す要部拡大図であり、（Ａ）はＳＩＭトレイがカード室から引出された状態、（Ｂ）はＳＩＭトレイがカード室に収納された状態を示すものである。
【図４】本発明の実施形態に係る折畳式携帯電話機に係るＳＩＭトレイがカード室から引出された状態を示す拡大平面図である。
【図５】本発明の実施形態に係る折畳式携帯電話機に係るＳＩＭトレイがカード室に収納された状態を示す拡大平面図である。
【符号の説明】
１        第１筐体
１１      メイン表示部
１２      サブ表示部
２        第２筐体
２Ａ      内面（内ケース）
２Ｂ      外面（外ケース）
２１      キーシート
２２      キー基板
２３      回路基板（フレキシブル基板）
２３Ａ    接合用コネクタ（回路基板側）
２３Ｂ    ＳＩＭ用コネクタ（ＳＩＭカード用）
２５      電池室
２５Ａ    リブ
３        ヒンジ部
４        カード室
４Ａ      係止用爪
４Ｂ      係止用爪
４０      ホルダ体
４１      挿入口（ＳＤカード用）
４２      ＳＤカバー
４３      フレキシブル基板（フレキシブル基板側）
４３Ａ    ＳＤカード用コネクタ（ＳＤカード用）
４３Ｃ    接合用コネクタ
４４      挿入口（ＳＩＭカード用）
４５      受け部
４５Ａ    凹部
４６      切欠部
５        ＳＤカード（第１のカード）
６        ＳＩＭトレイ（カードトレイ）
６１      面取り部
６２      係止爪
６２Ａ    係止爪
６２Ｂ    係止爪
６３      突起部
６４      切欠部
６５      凸部
７        ＳＩＭカード（第２のカード）
８        電池パック
【図１】
2004222170.tif 000003
【図２】
2004222170.tif 000004
【図３】
2004222170.tif 000005
【図４】
2004222170.tif 000006
【図５】
2004222170.tif 000007